(57)【要約】【課題】  従来のＶｏＩＰアダプターにＣａｌｌｉｎｇ  ＩＤ  Ｓｅｒｖｉｃｅ対応の電話機を接続していても、ＶｏＩＰで通話する呼出に対しては、ＶｏＩＰアダプターに接続されたＣａｌｌｉｎｇ  ＩＤ  Ｓｅｒｖｉｃｅ対応の電話機が、通信先の電話番号を表示できないという欠点を有していた。【解決手段】  通信回線からの通信が、ＶｏＩＰからの場合は前記スイッチをＶｏＩＰ側の通信側に切替、通信先の電話番号情報をＶｏＩＰアダプターの接続端子に接続される通信装置にＶｏＩＰアダプターから送出する。【選択図】        図２
2006135389.tif 000002
【特許請求の範囲】
【請求項１】
通信回線に接続されるＶｏＩＰアダプターにおいて、音声帯域の通信とＶｏＩＰの通信を周波数で分離するスプリッタと、通信回線より送られてきた情報により相手先に電話番号を表示できる通信装置を接続するための接続端子と、前記接続端子に接続する部分を音声帯域の通信かＶｏＩＰによる通信かを切り替えるためのスイッチと、ＶｏＩＰにより送られてくる通信先の情報を検出する発呼者情報検出手段と、前記発呼者情報検出手段により検出した通信先の電話番号情報を送出する送信手段を有し、通信回線からの通信が、ＶｏＩＰからの場合は前記スイッチをＶｏＩＰ側の通信側に切替、前記ＶｏＩＰアダプターより、通信先の電話番号情報を前記接続端子に接続される通信装置に送出することを特徴とするＶｏＩＰアダプター。
【請求項２】
請求項１のＶｏＩＰアダプターにおいて、前記送信手段は、前記接続端子に接続される通信装置に供給する直流電源の極性を反転する極性反転信号発生手段と、前記接続端子に接続される通信装置への呼出信号を発生する呼出信号発生手段と、
前記接続端子に接続される通信装置にＦＳＫ信号を用いて電話番号情報を送出する電話番号情報送出手段より構成されることを特徴とするＶｏＩＰアダプター。
【請求項３】
請求項２のＶｏＩＰアダプターにおいて、前記電話番号情報送出手段は、前記接続端子に接続される通信装置にＤＴＭＦ信号を用いて電話番号情報を送出することを特徴とするＶｏＩＰアダプター。
【発明の詳細な説明】
【技術分野】
【０００１】
本発明は、Ｃａｌｌｉｎｇ  ＩＤ  Ｓｅｒｖｉｃｅ対応の電話機を接続することができるＶｏＩＰアダプターに関し、特にＶｏＩＰで通話する呼出に対して、ＶｏＩＰアダプターに接続されるＣａｌｌｉｎｇ  ＩＤ  Ｓｅｒｖｉｃｅ対応の電話機に、通信先の電話番号を表示するための制御に関する。
【背景技術】
【０００２】
従来、ＶｏＩＰアダプターにＣａｌｌｉｎｇ  ＩＤ  Ｓｅｒｖｉｃｅ対応の電話機を接続した場合、ＶｏＩＰ以外の着呼に対してのみ、前記電話機にＣａｌｌｉｎｇ  ＩＤ  Ｓｅｒｖｉｃｅの対応が行えた（例えば、特許文献１参照。）。
【特許文献１】特開２００３−２２４６０９号公報
【発明の開示】
【発明が解決しようとする課題】
【０００３】
しかしながら、ＶｏＩＰアダプターにＣａｌｌｉｎｇ  ＩＤ  Ｓｅｒｖｉｃｅ対応の電話機を接続していても、ＶｏＩＰで通話する呼出に対しては、ＶｏＩＰアダプターに接続されたＣａｌｌｉｎｇ  ＩＤ  Ｓｅｒｖｉｃｅ対応の電話機が、通信先の電話番号を表示できないという欠点を有していた。
【０００４】
本発明は、上述の欠点に着目してなされたものであって、ＶｏＩＰアダプターに接続されたＣａｌｌｉｎｇ  ＩＤ  Ｓｅｒｖｉｃｅ対応の電話機に、ＶｏＩＰからの通話においても、電話番号の表示ができるＶｏＩＰアダプターを提供することを目的とする。
【課題を解決するための手段】
【０００５】
上記問題を解決するために、請求項１記載の発明は、通信回線に接続されるＶｏＩＰアダプターにおいて、音声帯域の通信とＶｏＩＰの通信を周波数で分離するスプリッタと、通信回線より送られてきた情報により相手先に電話番号を表示できる通信装置を接続するための接続端子と、前記接続端子に接続する部分を音声帯域の通信かＶｏＩＰによる通信かを切り替えるためのスイッチと、ＶｏＩＰにより送られてくる通信先の情報を検出する発呼者情報検出手段と、前記発呼者情報検出手段により検出した通信先の電話番号情報を送出する送信手段を有し、通信回線からの通信が、ＶｏＩＰからの場合は、前記スイッチをＶｏＩＰ側の通信側に切替、前記ＶｏＩＰアダプターより、通信先の電話番号情報を前記接続端子に接続される通信装置に送出することを特徴とするＶｏＩＰアダプターを提供する。
【０００６】
請求項２記載の発明は、前記請求項１のＶｏＩＰアダプターにおいて、前記送信手段は、前記接続端子に接続される通信装置に供給する直流電源の極性を反転する極性反転信号発生手段と、前記接続端子に接続される通信装置への呼出信号を発生する呼出信号発生手段と、前記接続端子に接続される通信装置にＦＳＫ信号を用いて電話番号情報を送出する電話番号情報送出手段より構成されることを特徴とするＶｏＩＰアダプターを提供する。
【０００７】
請求項３記載の発明は、前記請求項２のＶｏＩＰアダプターにおいて、前記電話番号情報送出手段は、前記接続端子に接続される通信装置にＤＴＭＦ信号を用いて電話番号情報を送出することを特徴とするＶｏＩＰアダプターを提供する。
【発明の効果】
【０００８】
本発明によれば、ＶｏＩＰアダプターに接続されたＣａｌｌｉｎｇ  ＩＤ  Ｓｅｒｖｉｃｅ対応の電話機に、ＶｏＩＰからの通話においても、電話番号の表示ができるＶｏＩＰアダプターを提供することができる。
【発明を実施するための最良の形態】
【０００９】
以下、添付の図面を参照して本発明の実施形態を詳述する。
【実施例】
【００１０】
図１は、本実施形態によるＶｏＩＰ対応アダプター装置の概略構成を示すブッロク図である。
【００１１】
同図において電話回線１は、電話局と接続された加入線であり、通常の音声帯域の通話とＡＤＳＬ等の高速データ通信を用いたＶｏＩＰの伝送路である。
【００１２】
スプリッタ２は、電話回線１から伝送される音声帯域の通信と高速データ通信を用いたＶｏＩＰを周波数的に分離するフィルタである。
【００１３】
モデム３は、高速のデータ通信を行う部分であり、またＶｏＩＰで伝送された信号を音声帯域に変換する。
【００１４】
発呼者ＩＤ検出部４は、ＩＰ電話のプロトコルであるＳＩＰ（Ｓｅｓｓｉｏｎ  Ｉｎｉｔｉａｔｉｏｎ  Ｐｒｏｔｏｃｏｌ）で受信される通信先の電話番号を検出する検出部である。
【００１５】
発呼者ＩＤ蓄積部５は、発呼者ＩＤ検出部４で検出された電話番号を保持する蓄積部である。
【００１６】
ＶｏＩＰからの呼出信号検出部６は、ＶｏＩＰにより通信する通信先からの呼出を検出する検出部である。
【００１７】
Ｃａｌｌｉｎｇ  ＩＤ  Ｓｅｒｖｉｃｅ信号送信部７は、発呼者ＩＤ検出部４で検出した電話番号をＣａｌｌｉｎｇ  ＩＤ  Ｓｅｒｖｉｃｅ対応電話機１４に送信するためにＦＳＫデータフォーマットにし電話番号情報を送信する。
【００１８】
極性反転信号発生部８は、Ｃａｌｌｉｎｇ  ＩＤ  Ｓｅｒｖｉｃｅ信号を起動するための起動信号であり、Ｃａｌｌｉｎｇ  ＩＤ  Ｓｅｒｖｉｃｅ対応電話機１４に供給する直流電圧の極性を反転する。
【００１９】
擬似呼出信号発生部９は、Ｃａｌｌｉｎｇ  ＩＤ  Ｓｅｒｖｉｃｅ対応電話機１４に供給する呼出信号を生成し送信する。
【００２０】
外部接続電話オフフック検出部１０は、Ｃａｌｌｉｎｇ  ＩＤ  Ｓｅｒｖｉｃｅ対応電話機１４のフック状態を検出する検出部である。
【００２１】
ＶｏＩＰ音声変換部１１は、ＶｏＩＰによるインターネット通話を音声に変換しＣａｌｌｉｎｇ  ＩＤ  Ｓｅｒｖｉｃｅ対応電話機１４との通話を行う。また、Ｃａｌｌｉｎｇ  ＩＤ  Ｓｅｒｖｉｃｅ対応電話機１４からの音声をＶｏＩＰによるインターネット通話に変換する。
【００２２】
１２のＳＷ１は、Ｃａｌｌｉｎｇ  ＩＤ  Ｓｅｒｖｉｃｅ対応電話機１４の通話を、通常の音声帯域の通話かＶｏＩＰの通話かを切り替えるためのスイッチである。
【００２３】
ＶＯＩＰ対応アダプター１３は、電話回線１に接続されており，  Ｃａｌｌｉｎｇ  ＩＤ  Ｓｅｒｖｉｃｅ対応電話機１４の通話を通常の音声帯域の通話かＶｏＩＰの通話かを選択的に切り替える。
【００２４】
Ｃａｌｌｉｎｇ  ＩＤ  Ｓｅｒｖｉｃｅ対応電話機１４は、電話回線１から伝送される音声帯域の通信時にユーザーがＣａｌｌｉｎｇ  ＩＤ  Ｓｅｒｖｉｃｅに加入していれば、通信先の電話番号が表示される電話機である。
【００２５】
以下、図２を参照して上記のＶｏＩＰ対応アダプター装置が、通常の音声帯域の通話かＶｏＩＰの通話かを選択的に切り替える制御について説明する。
【００２６】
ステップ１０１で、ＶｏＩＰによる通信制御が行われているかの判断を行う。ＶｏＩＰによる通信制御が行われていない場合は、ステップ１０２で、電話回線１から呼出信号を受信したかの判断を行う。呼出信号を受信していない場合は，ステップ１０１の戻る。またステップ１０２で、呼出信号を受信した場合は、ステップ１０３で、一般回線を使用した通常の通信を行い終了する。
【００２７】
ステップ１０１で、ＶｏＩＰによる通信制御が行われている場合は、ステップ１０４で、ＩＰ電話のプロトコルであるＳＩＰ（Ｓｅｓｓｉｏｎ  Ｉｎｉｔｉａｔｉｏｎ  Ｐｒｏｔｏｃｏｌ）で受信される通信先の電話番号等の発呼者のＩＤを検出し、検出された電話番号を保持する蓄積する。
【００２８】
ステップ１０５で、Ｃａｌｌｉｎｇ  ＩＤ  Ｓｅｒｖｉｃｅ対応電話機１３の通話を、通常の音声帯域の通話かＶｏＩＰの通話かを切り替えるためのスイッチであるＳＷ１をＶｏＩＰ側に切り替える。
【００２９】
Ｃａｌｌｅｒ  ＩＤのシーケンスにしたがって以下のステップを実行する。
【００３０】
ステップ１０６で、Ｃａｌｌｉｎｇ  ＩＤ  Ｓｅｒｖｉｃｅ対応電話機１４の供給する直流電圧の極性を反転させる。
【００３１】
ステップ１０７で、Ｃａｌｌｉｎｇ  ＩＤ  Ｓｅｒｖｉｃｅ対応電話機１４にたいし第一の呼び出し信号をＶＯＩＰ対応アダプター１３より送出する。
【００３２】
ステップ１０８で、Ｃａｌｌｉｎｇ  ＩＤ  Ｓｅｒｖｉｃｅデータの送信を行う。
【００３３】
ステップ１０９で、Ｃａｌｌｉｎｇ  ＩＤ  Ｓｅｒｖｉｃｅ対応電話機１４にたいして、第二以降の呼び出し信号を送信する。
【００３４】
ステップ１１０で、ＶＯＩＰ対応アダプター１３に接続されたＣａｌｌｉｎｇ  ＩＤ  Ｓｅｒｖｉｃｅ対応電話機１４のフック状態を検出する。Ｃａｌｌｉｎｇ  ＩＤ  Ｓｅｒｖｉｃｅ対応電話機１４がオフフックしていなければステップ１１１で、電話回線１からＶｏＩＰによる通信状態が継続されているか監視する。ＶｏＩＰによる通信状態が継続されている場合は、  ステップ１０９に戻る。ＶｏＩＰによる通信状態が切断された場合は、ステップ１１４で、ＶＯＩＰ対応アダプター１３よりＣａｌｌｉｎｇ  ＩＤ  Ｓｅｒｖｉｃｅ対応電話機１３に送出している呼出信号停止する。
【００３５】
ステップ１１０で、ＶＯＩＰ対応アダプター１３に接続されたＣａｌｌｉｎｇ  ＩＤ  Ｓｅｒｖｉｃｅ対応電話機１４のオフフック状態を検出した場合は，ステップ１１２で、ＶＯＩＰ対応アダプター１３よりＣａｌｌｉｎｇ  ＩＤ  Ｓｅｒｖｉｃｅ対応電話機１４に送出している呼出信号停止する。
【００３６】
ステップ１１３で、ＶｏＩＰによる通信を実行し終了する。
【図面の簡単な説明】
【００３７】
【図１】本実施形態によるＶｏＩＰ対応アダプター装置の概略構成を示すブロック図
【図２】本実施形態の構成を示すフローチャート
【符号の説明】
【００３８】
１  電話回線
２  スプリッタ
３  モデム
４  発呼者ＩＤ検出部 
５  発呼者ＩＤ蓄積部 
６  ＶｏＩＰからの呼出信号検出部
７  Ｃａｌｌｉｎｇ  ＩＤ  Ｓｅｒｖｉｃｅ信号送信部
８  極性反転信号発生部
９  擬似呼出信号発生部
１０  外部接続電話オフフック検出部
１１  ＶｏＩＰ音声変換部
１２  ＳＷ１
１３  ＶＯＩＰ対応アダプター
１４  Ｃａｌｌｉｎｇ  ＩＤ  Ｓｅｒｖｉｃｅ対応電話機
【図１】
2006135389.tif 000003
【図２】
2006135389.tif 000004